(57)【要約】【課題】足場板材の連結部分において足場板材の布板が開放されるような撓み変形が起きても、足場板同士を確実に連結できる連結具およびその連結具を用いた足場板材の連結構造を提案する。【解決手段】足場板材同士をその長手方向の端部で相互に連結する連結具において、足場板材の本体部分Ａ、Ａ′の底壁面に配置され、連結すべき足場板材のそれぞれに跨って固定保持される連結具本体１と、該連結具本体１の幅方向の端縁にそれぞれにつながる一対の脚部２ａ、２ｂと、該一対の脚部２ａ、２ｂの各先端部につながるとともに該足場板材の幅方向の各端縁に形成された布板Ａ１、Ａ２、Ａ１′、Ａ２′のフランジ部Ｆ１、Ｆ２、Ｆ１′、Ｆ２′に接地する接地片３ａ、３ｂと、該接地片３ａ、３ｂの端縁から該布板Ａ１、Ａ２、Ａ１′、Ａ２′の内壁面に沿い該足場板材の本体部分Ａ、Ａ′に向けて極僅かな隙間ｔを隔てて立ち上がる側板４ａ、４ｂと、該側板４ａ、４ｂの端部から幅方向の内側に向けて屈曲するリップ４ａ１、４ｂ１とで構成する。【選択図】  図１
2019094634.tif 000002
【特許請求の範囲】
【請求項１】
足場板材同士をその長手方向の端部で相互に連結する連結具であって、
足場板材の本体部分の底壁面に配置され、連結すべき足場板材のそれぞれに跨って固定保持される連結具本体と、該連結具本体の幅方向の端縁にそれぞれにつながる一対の脚部と、該一対の脚部の各先端部につながるとともに該足場板材の幅方向の各端縁に形成された布板のフランジ部に接地する接地片と、該接地片の端縁から該布板の内壁面に沿い該足場板材の本体部分に向けて極僅かな隙間を隔てて立ち上がる側板と、該側板の端部から幅方向の内側に向けて屈曲するリップとからなることを特徴とする足場板材の連結具。
【請求項２】
前記連結具本体は、連結すべき足場板材のそれぞれに向けて開口し、連結ボルトのねじ込みを可能とする少なくとも二つの開孔を有することを特徴とする請求項１に記載した足場板材の連結具。
【請求項３】
前記接地片は、前記本体部分に面してそれぞれ開口され、しのの先端部の差込みを許容する少なくとも二つの抉り孔を有することを特徴とする請求項１または２に記載した足場板材の連結具。
【請求項４】
請求項１〜３のいずれか１項に記載した連結具を用いて足場板材同士をその長手方向の端部で相互に連結することにより構成されたことを特徴とする足場板材の連結構造。
【請求項５】
前記連結具を、連結すべき足場板材のそれぞれに跨って配置して該連結具を各足場板材に固定保持するとともに、該連結具の長手方向の端部が位置する領域で足場板材の各布板に梁部材を差し渡して該梁部材を該布板に接続してなることを特徴とする請求項４に記載した足場板材の連結構造。
【発明の詳細な説明】
【技術分野】
【０００１】
本発明は、建築工事や工場、仮設工事（シールド工法トンネル工事等の土木工事現場）、本設工事（ビル屋上の点検歩廊等の床）等において作業通路や作業スペースを形成する床材として使用される足場板材をその長手方向で相互に連結するのに好適な連結具およびその連結具を用いた足場板材の連結構造に関するものである。
【背景技術】
【０００２】
建築工事や工場、本設工事においては、足場板材を支持梁の上に適宜、設置、固定することにより作業通路や作業スペースを形成するようにしており、足場板材を連結するに当たっては、連結部位での強度を確保するため、連結部位が支持梁の上にくる長さに設計されている。
【０００３】
一方、仮設の足場等を構築する際に使用される足場板材は、１〜４ｍ程度の長さで製作されているのが一般的である。かかる足場板材を用いて作業通路や作業スペースを形成する場合にあっては、足場板材の連結部位が支持梁以外の領域で接続されることが多く、該連結部位が支持梁に位置せずとも連結強度が確保できるように、連結具を使用して足場板材同士を連結しているのが普通である。この点に関する先行技術としては、例えば、特許文献１が参照される。
【先行技術文献】
【特許文献】
【０００４】
【特許文献１】実公平７−４８８７５号公報
【発明の概要】
【発明が解決しようとする課題】
【０００５】
上記特許文献１に開示された技術は、予め各足場板の長手方向の一端の底面板に連結板を嵌合させ、各連結板のボルト孔を各足場板の端部の長孔に合致させるとともに、各長孔からボルト孔にボルトを螺通締着して固定しておいた各足場板の連結板に、接続すべき足場板の他端の底面部に差し込むことにより足場板同士を長手方向に連結するものであって、これによれば足場板同士を、簡単な作業のもとで効率的に連結することができるとされていた。
【０００６】
ところで、この種の連結構造においては、荷重の付加により、足場板材が撓み変形を起しその布板（側片）が開放されるような状況におかれた場合に、連結板の側壁もそれに追随して変形してしまったり、連結板の固定姿勢が不安定となる不具合があり、これにより足場板の連結部分において強度低下を引き起こすことが懸念されていた。
【０００７】
本発明の課題は、足場板材の連結部分において該足場板材が撓み変形を起すような状況にあっても、足場板材同士を確実に連結することができる連結具およびその連結具を用いた足場板材の連結構造を提案するところにある。
【課題を解決するための手段】
【０００８】
本発明は、足場板材同士をその長手方向の端部で相互に連結する連結具であって、足場板材の本体部分の底壁面に沿って配置され、連結すべき足場板材のそれぞれにおいて固定保持される連結具本体と、該連結具本体の幅方向の端縁にそれぞれつながる一対の脚部と、該一対の脚部の各先端部につながるとともに該足場板材の各端縁に形成された布板のフランジ部に接地する接地片と、該接地片の端縁から該布板の内壁面に沿い該足場板の本体部分に向けて極僅かな隙間を隔てて立ち上がる側板と、該側板の端部から幅方向の内側に向けて屈曲するリップとからなることを特徴とする足場板材の連結具である。
【０００９】
上記の構成からなる足場板材の連結具において、連結具本体は、連結すべき足場板材のそれぞれに向けて開口し、連結ボルトのねじ込みを可能とする少なくとも二つの開孔を有することが好ましい。また、前記接地片は、前記本体部分に面してそれぞれ開口し、しの（シノ）の先端部の差込みを許容する少なくとも二つの抉り孔を有することが好ましい。
【００１０】
また、本発明は、上記の構成からなる連結具を用いて足場板材同士をその長手方向の端部で相互に連結することにより構築されたことを特徴とする足場板材の連結構造である。前記連結具は、連結すべき足場板材のそれぞれに跨って配置して該連結具を各足場板材に固定保持するとともに、該連結具の長手方向の端部が位置する領域で足場板材の各布板に梁部材を差し渡して該梁部材を該布板に接続するのが好ましい。
【発明の効果】
【００１１】
本発明によれば、連結具の連結具本体が足場板材の本体部分の底壁面に当接した状態におかれ、接地片が足場板材の布板のフランジ部に接触した状態におかれるため、連結部分において足場板材の布板が開放されるような撓み変形が起きても連結具が足場板材から外れたり連結具の固定姿勢が不安定になることはない。
【００１２】
とくに、脚部に連結具本体から足場板材の布板のフランジ部に向けて低くなる傾斜を付与しておくことにより、該脚部を足場板材の撓み変形に対する抵抗力を高めることができる。
【００１３】
また、本発明によれば、連結具本体に、連結すべき足場板材に向けて開口する開孔を設けたため、その開孔を利用して連結具を簡便な作業のもとで足場板材に固定することができる。また、接地片に抉り孔を設けることにより、しの（先端部が尖った工具等）の先端部を抉り孔に差し込んで抉ることが可能で、連結具を、足場板材の長手方向に沿って簡便に移動させることができ、足場板材の取り外しも容易となる。
【００１４】
さらに、本発明の連結構造によれば、連結具の長手方向の端部が位置する領域で足場板材の各布位置に梁部材を差し渡して該梁部材を布板に接続することにより足場板材の連結強度をより一層向上させることができる。
【図面の簡単な説明】
【００１５】
【図１】本発明にしたがう連結具の実施の形態を模式的に示した外観斜視図である。
【図２】図１に示した連結具の正面を示した図である。
【図３】図１に示した連結具の平面を示した図である。
【図４】図１に示した連結具の右側面を示した図である。
【図５】図１に示した連結具の底面を示した図である。
【図６】足場板材の外観斜視図である。
【図７】図６に示した足場板材のＣ−Ｃ断面を一部分について示した図である。
【図８】当て板の外観斜視図である。
【図９】本発明にしたがう連結具を用いて足場板材を連結する状況を示した図である。
【図１０】（ａ）（ｂ）は、連結状態におかれた足場板材の平面とそのＤ−Ｄ断面を要部について示した図である。
【図１１】足場板材の取り外し状況を示した図である。
【図１２】本発明にしたがう連結具を足場板材の長手方向に沿って移動させる状況を示した図である。
【図１３】足場板材の取り外し状況を示した図である。
【図１４】（ａ）（ｂ）は、従来の連結板を使用して足場板材同士を連結した場合の足場板材の変形状況を模式的に示した図である。
【図１５】本発明にしたがう連結具を使用して足場板材同士を連結した場合の足場板材の変形状況を模式的に示した図である。
【図１６】本発明にしたがう足場板材の連結構造を平面について示した図である。
【図１７】本発明にしたがう足場板材の連結構造を底面について示した図である。
【図１８】（ａ）〜（ｅ）は、本発明にしたがう連結具の他の実施の形態を正面について示した図である。
【発明を実施するための形態】
【００１６】
以下、図面を参照して本発明をより具体的に説明する。
図１は、本発明にしたがう足場板材の連結具の実施の形態を模式的に示した外観斜視図であり、図２〜５は、図１に示した連結具の正面（背面は正面と同一に現れる）、平面、右側面（左側面は右側面と同一に現れる）および底面をそれぞれ示した図であり、図６は、図１に示した連結具を用いて連結するのに好適な足場板材の外観斜視図であり、さらに、図７は図６のＣ−Ｃ断面を一部分について示した図である。
【００１７】
なお、図６に示した足場板材は、偏平矩形状をなす本体部分Ａの幅方向に沿って延びる横長の絞り孔ａを該本体部分Ａの長手方向に間隔をおいて複数配列するとともに、該絞り孔ａの相互間に滑り止め用の突起ｂを複数個設けたものを例として示してあるが、足場板材は、種々のものを用いることが可能であり、図示のものに限定されることはない。また、足場板材は、板厚０．８〜３．２ｍｍ程度の鋼板（一般構造用圧延鋼材（板）、溶融亜鉛めっき鋼板等）に、曲げ加工、プレス成形あるいは孔あけ加工を施すことにより製造されるものである。
【００１８】
本発明にしたがう連結具は、足場板材の本体部分Ａ、Ａ′（図９参照）の底壁面に沿って配置され、連結すべき足場板材の本体部分Ａ、Ａ′のそれぞれにおいて固定保持される連結具本体１と、該連結具本体１の幅方向の端縁に角度をもってそれぞれつながる一対の脚部２ａ、２ｂと、該一対の脚部２ａ、２ｂの各先端部につながるとともに該足場板材の本体部分Ａ、Ａ′の幅方向の端縁に形成された布板Ａ１、Ａ２、Ａ１′、Ａ２′のフランジ部Ｆ１、Ｆ２、Ｆ１′、Ｆ２′に接地する接地片３ａ、３ｂと、接地片３ａ、３ｂの端縁から布板Ａ１、Ａ２、Ａ１′、Ａ２′の内壁面に沿い足場板材の本体部分Ａ、Ａ′に向けて極わずかな隙間ｔ（図１１参照）を隔てて立ち上がる側板４ａ、４ｂから構成されている。側板４ａ、４ｂはその端部（上端部）に、幅方向の内側に向けて屈曲するリップ４ａ１、４ｂ１が設けられている。側板４ａ、４ｂの端部にリップ４ａ１、４ｂ１を設ける理由は、足場板材と他の足場板材の接続部に荷重が加わった場合、リップ４ａ１、４ｂ１が存在していないと、側板４ａ、４ｂと足場板材の本体部分Ａとが点接触となり、強度的に弱い構造になることが懸念されるからである。リップ４ａ１、４ｂ１は、側板４ａ、４ｂの立ち上がり壁に対して９０°の角度で屈曲させるのが好ましい。
【００１９】
連結具を構成する部材は、足場板材と同程度の材質、厚さからなる鋼板が使用され、一枚の板材にプレス加工を施すことにより連結具本体１、脚部２ａ、２ｂ、接地片３ａ、３ｂ、側板４ａ、４ｂおよびリップ４ａ１、４ｂ１が一体形成された単一部材として製作される。
【００２０】
上記の構成からなる連結具において、連結具本体１には、連結すべき足場板材のそれぞれに向けて開孔し、連結ボルトのねじ込みを可能とする少なくとも二つ開孔（めじねを有する開孔）５ａ、５ｂが形成されており（バーリング加工等によるもの）、接地片３ａ、３ｂには、足場板材の本体部分Ａ、Ａ′に面してそれぞれ開口され、しのの先端部の差込みを許容する少なくとも二つの抉り孔６ａ、６ｂが形成されている。開孔５ａ、５ｂ、抉り孔６ａ、６ｂは、連結すべき足場板材の本体部分Ａ、Ａ′のそれぞれに対応する位置に設けられる。
【００２１】
かかる連結具を足場板材に固定するには、縁部にフランジ７ａを有し中央部に凹部７ｂが形成された、例えば図８に示す如き矩形形状からなる当て板７を用いるのが好ましく、この当て板７を図９に示すように、足場板材の本体部分Ａ、Ａ′の表面に絞り孔ａ、ａ′に面して配置するとともに、該当て板７の凹部７ｂの底壁に形成された開孔７ｃを通して連結ボルト８を差し入れ、連結具本体１の開孔５ａ、５ｂにねじ込めばよい。
【００２２】
足場板材の連結構造を構成するには、一方の足場板材に本発明にしたがう連結具をその長手方向のほぼ半分程度が足場板材の端部から露出するように固定し、次いで、連結すべきもう一方の足場板材の長手方向の端部に、該一方の足場板材の端部から露出する部分を差し込むとともに当て板７、連結ボルト８を用いて連結具を足場板材に固定する。
【００２３】
図１０（ａ）（ｂ）は、連結状態におかれた足場板材の平面とそのＤ−Ｄ断面を要部について示した図である。かかる足場板材の連結構造において、足場板材を取り外すには、連結ボルト８、当て板７による連結を解除するとともに、図１１に示すように、足場板材の本体部分Ａ、Ａ′に設けられた絞り孔ａ、ａ′を通して抉り孔６ａ、６ｂにしのの先端部を適宜差し込むとともに梃子の原理を利用して抉り、図１２に示す如く、連結具を足場板材の長手方向に沿って移動させればよい。これにより、足場板材の複数枚が既に敷き詰められていたとしても、図１３に示すように、任意の位置で足場板材を簡単に取り外すことができる。
【００２４】
図１４（ａ）（ｂ）は、従来の連結板を適用して足場板材を連結した場合の連結部分を模式的に示したものである。従来の連結構造においては、連結部分で足場板材が撓み変形を起した場合、連結具からの荷重が足場板材のフランジ部Ｆ１、Ｆ２に伝達され、該布板Ａ１、Ａ２の下端において一体連結するフランジ部Ｆ１、Ｆ２が傾き、これに引きずられて連結板の側壁が内側に倒れ込んだり（図１４（ａ））、連結板の固定姿勢が不安定となって（図１４（ｂ））連結板が足場板材から抜け出すおそれもあった。しかし、本発明にしたがう連結具は、図１５に示すように、連結具本体１が足場板材の本体部分Ａ、Ａ′の底壁面に当接しており、接地片３ａ、３ｂが足場板材のフランジ部Ｆ１、Ｆ２に接触した状態で足場板材に固定されることから、足場板材が撓み変形を起したとしても従来の連結板のように側板４ａ、４ｂが倒れ込んだり、固定姿勢が不安定になることはない。
【００２５】
側板４ａ、４ｂと布板Ａ１、Ａ２の内壁面との間に、極僅かな隙間ｔ（図１１参照）を設けておくことにより、図１６に示すように、足場板材をその軸芯Ｌ、Ｌ′が交差するような連結形態をとることも可能であり、これにより、トンネル工事等の湾曲部（Ｒ部）に対応した作業通路、作業スペースを設けることができる。なお、上記の隙間ｔが大きすぎると、連結具が足場板材から外れやすくなるので、該隙間ｔは、片側で１〜５ｍｍ程度、合計で２〜１０ｍｍ程度とのするのが望ましい。側板４ａ、４ｂは、リップ４ａ１、４ｂ１が足場板材の本体部分Ａ、Ａ′の底面に当接する高さに設定する。
【００２６】
図１７は、本発明にしたがう連結具を用いて足場板材同士を連結した連結構造につき、その底面を模式的に示した図である。本発明においては、連結具の長手方向の端部が位置する領域で足場板材の各布板Ａ１、Ａ２の間に梁部材９を差し渡して該梁部材９を溶接等の接合手段により布板Ａ１、Ａ２に接続しておくことも可能であり、これによれば、連結部分における強度をより一層高めることができる。
【００２７】
図１８（ａ）〜（ｅ）は、本発明にしたがう連結具の他の例を示した図である。連結具の連結具本体１の幅寸法Ｗ、脚部２ａ、２ｂの長さＨ、傾斜角度θ、接地片３ａ、３ｂの幅寸法Ｉ等は、適宜変更することができる。
【００２８】
連結具は、基本的には、足場板材に付加される荷重を、リップ４ａ１（４ａ１′）、４ｂ１（４ｂ１′）、接地片３ａ（３ａ′）、３ｂ（３ｂ′）において面で受けるのが好ましいが、上掲図１０（ｂ）に示すような位置ｕ１〜ｕ２、ｕ３〜ｕ４、ｕ１′〜ｕ２′、ｕ３′〜ｕ４′で線状に荷重を受けるようにしてもよく、この点についてはとくに限定されない。
【産業上の利用可能性】
【００２９】
本発明によれば、足場板材同士を高い強度のもとで連結可能な連結具およびその連結具を用いた連結構造が提供できる。
【符号の説明】
【００３０】
１  連結具本体
２ａ、２ｂ  脚部
３ａ、３ｂ  接地片
４ａ、４ｂ  側板
４ａ１、４ａ１′、４ｂ１、４ｂ１′  リップ
５ａ、５ｂ  開孔
６ａ、６ｂ  抉り孔
７  当て板
７ａ  フランジ
７ｂ  凹部
７ｃ  開孔
８  連結ボルト
９  梁部材
Ａ、Ａ′  本体部分
Ａ１、Ａ１′、Ａ２、Ａ２′  布板
Ｆ１、Ｆ１′、Ｆ２、Ｆ２′  フランジ部
ａ、ａ′  絞り孔
ｂ、ｂ′突起
ｔ  隙間
Ｌ、Ｌ′  足場板材の軸芯
【図１】
2019094634.tif 000003
【図２】
2019094634.tif 000004
【図３】
2019094634.tif 000005
【図４】
2019094634.tif 000006
【図５】
2019094634.tif 000007
【図６】
2019094634.tif 000008
【図７】
2019094634.tif 000009
【図８】
2019094634.tif 000010
【図９】
2019094634.tif 000011
【図１０】
2019094634.tif 000012
【図１１】
2019094634.tif 000013
【図１２】
2019094634.tif 000014
【図１３】
2019094634.tif 000015
【図１４】
2019094634.tif 000016
【図１５】
2019094634.tif 000017
【図１６】
2019094634.tif 000018
【図１７】
2019094634.tif 000019
【図１８】
2019094634.tif 000020